(57)【特許請求の範囲】
【請求項１】
配達票を備える伝票基材と、
前記伝票基材の下層に設けられるタック紙と、
前記配達票の周縁部に形成され、前記配達票と前記タック紙とを剥離可能に貼り合わせる剥離構造と、
を備える配送伝票であって、
前記配送伝票の乾燥時に用いられ、前記配達票を前記伝票基材から分離する第１の分離手段と、
前記配送伝票の湿潤時に用いられ、前記配達票の一部を前記伝票基材から分離する第２の分離手段と、
を備えており、
前記第１の分離手段は、前記剥離構造であり、
前記第２の分離手段は、前記配達票の表面の法線方向から見て、前記配達票の前記剥離構造よりも内側の領域に位置する主要伝票部を、前記配達票から切り取り可能とする分離線と、前記主要伝票部の下層側に形成され、前記剥離構造が存在しない空所部とであること、
を特徴とする配送伝票。
【請求項２】
請求項１に記載の配送伝票において、
前記伝票基材は、前記配達票とは異なる領域に貼付票を備え、
前記貼付票は、接着構造により前記タック紙に接着されていること、
を特徴とする配送伝票。
【請求項３】
請求項１又は請求項２に記載の配送伝票において、
前記剥離構造は、前記タック紙側に形成された接着剤層と、前記伝票基材側に形成された剥離層とを備えること、
を特徴とする配送伝票。
【請求項４】
請求項１から請求項３までのいずれか１項に記載の配送伝票の使用方法において、
前記配送伝票が乾燥している場合には、前記第１の分離手段により、前記配達票を前記タック紙から剥離して前記伝票基材から分離し、
前記配送伝票が湿潤している場合には、前記第２の分離手段により、前記主要伝票部を前記分離線に沿って前記配達票から切り取って前記伝票基材から分離すること、
を特徴とする配送伝票の使用方法。
【請求項５】
配達票を備える伝票基材と、
前記伝票基材の下層に設けられるタック紙と、
前記配達票の周縁部に形成され、前記配達票と前記タック紙とを剥離可能に貼り合わせる剥離構造と、
前記配達票の表面の法線方向から見て、前記剥離構造よりも前記配達票の内側の領域に位置する主要伝票部と、
前記主要伝票部の下層側に形成され、前記剥離構造が存在しない空所部と、
前記配達票の表面の法線方向から見て、前記剥離構造と前記主要伝票部との間となる位置に形成され、前記主要伝票部を前記配達票から切り離し可能とする分離線と、
を備える配送伝票の使用方法であって、
前記配送伝票が乾燥している場合には、前記配達票を前記タック紙から剥離して前記伝票基材から分離し、
前記配送伝票が湿潤している場合には、前記主要伝票部を前記分離線に沿って前記配達票から切り取って前記伝票基材から分離すること、
を特徴とする配送伝票の使用方法。
【請求項６】
請求項４又は請求項５に記載の配送伝票の使用方法において、
前記配達票を剥離する方向は、前記主要伝票部を切り取る方向と交差する方向であること、
を特徴とする配送伝票の使用方法。
【発明の詳細な説明】
【０００１】
【発明の属する技術分野】
本発明は、伝票基材とタック紙とが剥離構造を介して一体化された配送伝票、配送伝票の使用方法に関するものである。
【０００２】
【従来の技術】
従来の配送伝票は、主として、筆記による物理的複写構造を有する６，７枚のシートが積み重ねられた多ｐｔ方式と、デジタルデータの複写による１ｐｔ方式の２種がある（例えば、特許文献１）。
また、配送伝票を簡単に剥離することができる１ｐｔ方式の配送伝票がある（例えば、特許文献２）。
【０００３】
１ｐｔ方式の配送伝票の使用量拡大とともに、産地直送便による海鮮品の配送においても１ｐｔ方式の配送伝票が使用されるようになり、保冷配送便での荷物の配送も増えてきている。
【０００４】
保冷配送便は、主として５℃前後で配送される冷蔵と、−２０℃前後で配送される冷凍の２種があるが、いずれの場合も低温での配送となる。中継地での積み替え時など、温度差があるときに結露を生じるため、最表面に貼付されている配送伝票は簡単に濡れてしまう。
また、保冷配送便でない場合でも、荒天時の雨による水濡れ、夏場の作業員の汗、朝露、夜露などといった、配送伝票が水濡れとなる機会は多い。
【０００５】
図３は、従来の配送伝票を示す図である。
図３（Ａ）は、従来の配送伝票の構成を示す分解した状態の斜視図である。
配送伝票３００は、伝票基材３１０と、接着剤層３２０と、タック紙３３０とが順に重ね合わされている。
伝票基材３１０は、平面的には、配達票３００Ａと、貼付票３００Ｂとを備え、層構成的には、伝票基材表面層３１１と、剥離層３１２を備えている。
接着剤層３２０は、伝票基材３１０と、タック紙３３０とを擬似接着構造や接着構造で接着している。
タック紙３３０は、印刷層３３１と、タック基材３３２と、粘着剤３３３と、剥離紙３３４とを備えている。
【０００６】
図３（Ｂ）は、配送伝票３００の配達票３００Ａにおける断面図である。伝票基材表面層３１１、剥離層３１２、接着剤層３２０、印刷層３３１、タック基材３３２、粘着剤３３３、剥離紙３３４が順に重ね合わされている。
図３（Ｃ）は、剥離紙３３４を剥離して、被着体１０に配送伝票３００を貼り付けた模式図である。この状態で、配送荷物（被着体１０）は届け先に運ばれてゆく。
図３（Ｄ）は、乾燥（通常）時に、届け先で捺印をもらうために配達票３００Ａを剥離した模式図である。配達票３００Ａが乾いている状態なので、擬似接着構造となっている剥離層３１２と、粘着剤層３２０を容易に剥離することができる。
図３（Ｅ）は、湿潤時に、届け先で捺印をもらうために配達票３００Ａを剥離した模式図である。配達票３００Ａが湿っている状態なので、配達票３００Ａの物理的強度が低下している。配達票３００Ａを剥離しようとすると、粘着剤層３２０の接着力に配達票３００Ａの物理的強度が負けてしまい、配達票３００Ａが破れてしまう。
【０００７】
伝票基材表面層３１１に一般の用紙を用いる場合、この一般の用紙は、ＰＰＣ（プレーンペーパーコピー）用紙やＮＩＰ（ノンインパクトプリンタ）用紙といった、過度の耐水性を有していないものが多く、また、ＩＪ（インクジェット）用紙は、そのままでは水を吸ってしまう構造になっているので、湿潤時での使用は不向きとされている。
そこで、湿潤時にも対処できる、水濡れに強い耐水紙が使用されてきた（例えば、特許文献３）。
耐水紙は、湿潤増加剤の添加により、水に濡れても用紙の物理的強度が低下しにくいようにしたものである。
【０００８】
【特許文献１】
特開２００１−２５５８２２号公報
【特許文献２】
特開２００２−７２８８８号公報
【特許文献３】
特開平１１−３０１１４４号公報
【０００９】
【発明が解決しようとする課題】
しかし、耐水紙は、一般の用紙と比較すればコストアップとなり、かつ、耐水性が高くなればなるほど水に溶けにくくなり、再生紙としての使用も困難になってしまうという問題が生じていた。
【００１０】
また、ＩＪインキを吸収しやすいＩＪ用紙のように、あえて水分吸収性を高めている用紙に対して、水分吸収性とは逆の耐水性を高めようとすると、コート紙タイプと呼ばれる高価なものしか使用できなくなる。これは、耐水性基材に、インキ吸収性の高いＩＪコート層を設けることになってしまう。
【００１１】
本発明の課題は、実質的なコストアップがなく、しかも、耐水性に優れた材料を使用することもなく、耐水性の弱い一般の用紙やＩＪ用紙でも、十分な耐水性を備えた配送伝票、配送伝票の使用方法を提供することである。
【００１２】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、配達票（１００Ａ）を備える伝票基材（１１０）と、前記伝票基材の下層に設けられるタック紙（１３０）と、前記配達票の周縁部に形成され、前記配達票と前記タック紙とを剥離可能に貼り合わせる剥離構造（１１２，１２０）と、を備える配送伝票であって、前記配送伝票の乾燥時に用いられ、前記配達票を前記伝票基材から分離する第１の分離手段と、前記配送伝票の湿潤時に用いられ、前記配達票の一部を前記伝票基材から分離する第２の分離手段と、を備えており、前記第１の分離手段は、前記剥離構造であり、前記第２の分離手段は、前記配達票の表面の法線方向から見て、前記配達票の前記剥離構造よりも内側の領域に位置する主要伝票部（１００Ａ−１）を、前記配達票から切り取り可能とする分離線（ｍｃ）と、前記主要伝票部の下層側に形成され、前記剥離構造が存在しない空所部（ｓｐ）とであること、を特徴とする配送伝票である。
【００１３】
請求項２の発明は、請求項１に記載の配送伝票において、前記伝票基材（１１０Ａ）は、前記配達票（１００Ａ）とは異なる領域に貼付票（１００Ｂ）を備え、前記貼付票は、接着構造（１２０）により前記タック紙（１３０）に接着されていること、を特徴とする配送伝票である。
【００１４】
請求項３の発明は、請求項１又は請求項２に記載の配送伝票において、前記剥離構造（１１２，１２０）は、前記タック紙（１３０）側に形成された接着剤（１２０）層と、前記伝票基材（１１０）側に形成された剥離層（１１２）とを備えること、を特徴とする配送伝票である。
【００１５】
請求項４の発明は、請求項１から請求項３までのいずれか１項に記載の配送伝票の使用方法において、前記配送伝票が乾燥している場合には、前記第１の分離手段により、前記配達票（１００Ａ）を前記タック紙（１３０）から剥離して前記伝票基材から分離し、前記配送伝票が湿潤している場合には、前記第２の分離手段により、前記主要伝票部（１００Ａ−１）を前記分離線（ｍｃ）に沿って前記配達票から切り取って前記伝票基材から分離すること、を特徴とする配送伝票の使用方法である。
【００１６】
請求項５の発明は、配達票（１００Ａ）を備える伝票基材（１１０）と、前記伝票基材の下層に設けられるタック紙（１３０）と、前記配達票の周縁部に形成され、前記配達票と前記タック紙とを剥離可能に貼り合わせる剥離構造（１１２，１２０）と、前記配達票の表面の法線方向から見て、前記剥離構造よりも前記配達票の内側の領域に位置する主要伝票部（１００Ａ−１）と、前記主要伝票部の下層側に形成され、前記剥離構造が存在しない空所部（ｓｐ）と、前記配達票の表面の法線方向から見て、前記剥離構造と前記主要伝票部との間となる位置に形成され、前記主要伝票部を前記配達票から切り離し可能とする分離線（ｍｃ）と、を備える配送伝票の使用方法であって、前記配送伝票が乾燥している場合には、前記配達票を前記タック紙から剥離して前記伝票基材から分離し、前記配送伝票が湿潤している場合には、前記主要伝票部を前記分離線に沿って前記配達票から切り取って前記伝票基材から分離すること、を特徴とする配送伝票の使用方法である。
【００１７】
請求項６の発明は、請求項４又は請求項５に記載の配送伝票の使用方法において、前記配達票（１００Ａ）を剥離する方向は、前記主要伝票部（１００Ａ−１）を切り取る方向と交差する方向であること、を特徴とする配送伝票の使用方法である。
【００１９】
【発明の実施の形態】
以下、図面などを参照して、本発明の実施の形態について、さらに詳しく説明する。
図１は、本発明による配送伝票の実施形態を示す模式図である。
なお、以下に示す実施形態では、前述した従来例と同様な機能を果たす部分には、末尾に統一した符号を付して、重複する説明を適宜省略する。
図１（Ａ）は、配送伝票の構成を示す分解した状態の斜視図である。
配送伝票１００は、伝票基材１１０と、接着剤層１２０と、タック紙１３０とが順に重ね合わされている。
【００２０】
伝票基材１１０は、平面的には、配達票１００Ａと、貼付票１００Ｂとを備え、層構成的には、伝票基材表面層１１１と、剥離層１１２を備えている。
接着剤層１２０は、伝票基材１１０と、タック紙１３０とを擬似接着構造や接着構造で接着している。
また、配達票１００Ａとタック紙１３０は、周縁部のみで擬似接着されており、その擬似接着の内側には、接着剤層１２０が存在しない空所部ｓｐがある。
なお、剥離層１１２にも、空所部ｓｐが存在する。
タック紙１３０は、印刷層１３１と、タック基材１３２と、粘着剤１３３と、剥離紙１３４とを備えている。
【００２１】
配達票１００Ａは、周縁部にミシン目ｍｃが切り込まれている。このミシン目ｍｃは空所部ｓｐの上層にあり、配達票１００Ａの内容を損なわずに、主要伝票部１００Ａ−１を剥離することができる。ミシン目ｍｃはマイクロミシンであり、ミシン目ｍｃにおけるタイ部（アンカット部）は０．７ｍｍ以下が好ましい。ミシン目ｍｃには剥離開始部ｓｓがあり、ミシン目ｍｃとは異なる切り込みがある。剥離開始部ｓｓは、主要伝票部１００Ａ−１を剥離しやすいキッカケとなっている。
【００２２】
図１（Ｂ）は、配送伝票１００の配達票１００Ａにおける断面図である。伝票基材表面層１１１、剥離層１１２、接着剤層１２０、印刷層１３１、タック基材１３２、粘着剤１３３、剥離紙１３４が順に重ね合わされている。
なお、空所部ｓｐは、剥離層１１２と接着剤層１２０にまたがって存在している。
図１（Ｃ）は、剥離紙１３４を剥離して、被着体１０に配送伝票１００を貼り付けた模式図である。この状態で、配送荷物（被着体１０）は届け先に運ばれてゆく。
図１（Ｄ）は、乾燥時に、届け先で捺印をもらうために配達票１００Ａを剥離した模式図である。配達票１００Ａが乾いている状態であるので、擬似接着構造となっている剥離層１１２と、粘着剤層１２０を容易に剥離することができる。
また、擬似接着する面積が図３（Ｄ）の従来例より少なくなっているため、不用意に剥離してしまわないように、粘着剤層１２０の接着力は強化してある。しかし、配達票１００Ａ全体が擬似接着されていないので滑らかに剥離することができる。
【００２３】
図１（Ｅ）は、湿潤時に、届け先で捺印をもらうために主要伝票部１００Ａ−１を剥離した模式図である。
配達票１００Ａが湿っている状態なので、配達票１００Ａの物理的強度が低下している。
しかし、配達票１００Ａを粘着剤層１２０から剥離するのではなく、ミシン目ｍｃから切り取るように剥離するので、擬似接着されていない主要伝票部１００Ａ−１は、伝票基材が破断することなく容易に剥離することができる（湿潤対応手段）。
また、湿潤時にミシン目ｍｃで剥離しやすくするためには、乾燥時と湿潤時の剥離のキッカケ位置と、剥離方向とが異なっていることが好ましい。剥離開始部ｓｓから主要伝票部１００Ａ−１を剥離する場合の湿潤剥離方向２０は、乾燥時に配達票１００Ａを剥離する場合の乾燥剥離方向３０と異なっている。
【００２４】
（変形形態）
以上説明した実施形態に限定されることなく、種々の変形や変更が可能であって、それらも本発明の均等の範囲内である。
図２は、本発明による配送伝票の実施形態変形例を示す図である。
（１）図２（Ａ）は、変形例１であり、ミシン目ｍｃ１の質は本実施形態と同様であるが、切り込まれている範囲が異なっている。ミシン目ｍｃ１は主要伝票部４００Ａ−１を取り囲むように切り込まれているが、円のように１周はしておらず、配達票４００Ａの角へつながっている。この切り込み方により、剥離開始部ｓｓ１が帯状になっている。また、この剥離開始部ｓｓ１は、配達票４００Ａの４つ角のどこにあってもよく、また、何箇所にあってもよい。
（２）図２（Ｂ）は、変形例２であり、ミシン目ｍｃ２のカット部が本実施形態よりも長い。また、剥離開始部ｓｓ２は指を入れやすいように穴状になっている。
（３）図３（Ｃ）は、変形例３であり、ミシン目のカット部が斜めに切り込まれており、長方形に切り込まれたミシン目ｍｃ３の４つ角が１／４円の弧状に丸みを帯びてカットされている。従って、４方向どこからでも剥離が可能である。
（４）図３（Ｄ）は、変形例３であり、ミシン目のカット部が、くの字状に連続して切り込まれており、長方形に切り込まれたミシン目ｍｃ４の１つの角が１／４円の弧状に丸みを帯びてカットされている。
以上（１）〜（４）で説明した方法を、単独で使用しても、組み合わせて使用してもよい。
【００２５】
（５）本実施形態で、湿潤時、乾燥時の両方ともミシン目から主要伝票部１００Ａ−１を剥離してもよい。剥離方法を同一にすることによって、擬似接着する必要がなくなる。従って、剥離層１１２が必要なくなり、コストダウンにつながる。
（６）本実施形態で、分離線ｍｃは、ミシン目となっているが、ハーフカットなどでもよい。
（７）本実施形態で、剥離層１１２に空所部ｓｐは存在しなくてもよい。
【００２６】
【発明の効果】
以上詳しく説明したように、本発明によれば、湿潤時に配達伝票が湿ってしまった場合であっても、伝票基材を破断することなく剥離することができるという効果がある。
【図面の簡単な説明】
【図１】本発明による配送伝票の実施形態を示す図である。
【図２】本発明による配送伝票の実施形態変形例を示す図である。
【図３】従来の配送伝票を示す図である。
【符号の説明】
１０  被着体
１００  配送伝票（１ｐｔ方式の配送伝票）
１００Ａ  配達票
１００Ａ−１  主要伝票部
１００Ｂ  貼付票
１１０  伝票基材（第１の基材）
１１１  伝票基材表面層
１１２  剥離層
１２０  粘着剤層
１３０  タック紙（タックシート、第２の基材）
１３１  印刷層
１３２  タック基材
１３３  粘着剤
１３４  剥離紙（剥離シート）
ｍｃ  分離線（ミシン目、ハーフカット）
ｓｓ  剥離開始部
ｓｐ  空所部
【図１】
0004346941.tif 000002
【図２】
0004346941.tif 000003
【図３】
0004346941.tif 000004